(57)【特許請求の範囲】
【請求項１】
密閉されたケーシング内に収納され、冷媒圧縮のためのシリンダを有するシリンダブロックと、
該シリンダブロックの一側に結合され、冷媒を前記シリンダに吸入させるための冷媒吸込穴を有するバルブプレートと、
前記冷媒吸込穴を開閉させるために前記バルブプレートに接触するよう設置される吸込バルブと、
該バルブプレートと結合され、冷媒吸込室を有するシリンダヘッドと、
前記シリンダブロックに冷媒を供給する吸込マフラーと、
該吸込マフラーから供給された冷媒を前記冷媒吸込室に吸い込ませるために前記シリンダヘッドの一側に形成された冷媒の流路と、
前記流路と別に設けられ、前記ケーシング内に充填された冷媒を前記冷媒吸込穴に誘導するために前記バルブプレートに形成されるグルーブとを含み、
前記グルーブは、前記バルブプレートの一側角部から前記冷媒吸込室まで延長されることを特徴とするシリンダ組立体。
【請求項２】
冷媒が流入される密閉ケーシングと、
該密閉ケーシング内に設けられた固定子内に回転自在に挿入された回転子と、
該回転子によって回転されるクランクシャフトと、
該クランクシャフトにその一端が結合された連接棒と、
該連接棒の他端に結合されたピストンと、
該ピストンの作動によって冷媒の圧縮作用が起こるシリンダ組立体とを含み、
前記シリンダ組立体は、
冷媒圧縮のためのシリンダを有するシリンダブロックと、
該シリンダブロックの一側に結合され、冷媒を前記シリンダに吸入させるための冷媒吸込穴と圧縮された冷媒を前記シリンダから吐出させるための冷媒吐出穴を有するバルブプレートと、
前記冷媒吸込穴を開閉させるために前記バルブプレートに接触するよう設置される吸込バルブと、
前記冷媒吐出穴を開閉させるために前記バルブプレートに接触するよう設置される吐出バルブと、
前記バルブプレートの一側に設置され、冷媒吸込室及び冷媒吐出室を有するシリンダヘッドと、
前記シリンダブロックに冷媒を供給する吸込マフラーと、
該吸込マフラーから供給された冷媒を前記冷媒吸込室に流入させるために前記シリンダヘッドの一側に形成された冷媒の流路と、
前記流路と別に設けられ、前記密閉ケーシング内の冷媒を前記冷媒吸込穴に誘導するために前記バルブプレートに形成されるグルーブとを備え、
前記グルーブは前記バルブプレートの一側角部から前記冷媒吸込室まで延長されることを特徴とする密閉型圧縮機。
【発明の詳細な説明】
【０００１】
【発明の属する技術分野】
本発明は密閉型圧縮機に係り、さらに詳しくはシリンダ内に冷媒の吸入が容易に行われるようにその構造が改善されたシリンダ組立体及びこれを用いた密閉型圧縮機に関する。
【０００２】
【従来の技術】
一般に、密閉型圧縮機は図１及び図２に示した通り、密閉ケーシング１００と、密閉ケーシング１００内に設けられる電動ユニット２００と、圧縮ユニット３００及びシリンダ組立体４００とを備える。
【０００３】
密閉ケーシング１００は上部ケーシング１１０及び下部ケーシング１２０よりなり、冷媒吸入管１３０及び冷媒吐出管１４０が設けられる。下部ケーシング１２０の底部には潤滑油が貯油され、密閉ケーシング１００の内部には冷媒吸入管１３０を通して流入された冷媒が充填される。
【０００４】
電動ユニット２００は、密閉ケーシング１００の内部に固定された固定子２１０と、固定子２１０の内部に回転するように設けられた回転子２２０と、回転子２２０と一体に回転するように設けられたクランクシャフト２３０と、を備える。
【０００５】
圧縮ユニット３００はクランクシャフト２３０の偏心部２４０に連結され回転子２２０の回転運動を往復直線運動に変える連接棒３１０と、連接棒３１０の一端に結合されたピストン３２０とを備える。
【０００６】
シリンダ組立体４００はピストン３２０が差し込まれるシリンダ４１０を有するシリンダブロック４２０と、シリンダ４１０を密閉させるためにボルト(Ａ)によってシリンダブロック４２０と結合されるシリンダヘッド４３０と、シリンダブロック４２０とシリンダヘッド４３０との間に介在されるバルブプレート４４０とを備える。
【０００７】
シリンダヘッド４３０の内側には隔壁４３１が形成され、隔壁４３１はシリンダヘッド４３０の内部を冷媒吸込室４３２と冷媒吐出室４３３とに区画する。また、シリンダヘッド４３０は冷媒の流路４３４を備え、冷媒の流路４３４を通して吸込マフラー５００の冷媒が冷媒吸込室４３２に流入される。
【０００８】
一方、シリンダヘッド４３０とバルブプレート４４０との間には密封のためのガスケット４５０が介在される。
【０００９】
バルブプレート４４０は冷媒吸込穴４４１と冷媒吐出穴４４２とを有する。冷媒吸込穴４４１は冷媒吸込室４３２とシリンダ４１０を連通させ、冷媒吐出穴４４２は冷媒吐出室４３３とシリンダ４１０を連通させる。
【００１０】
冷媒吸込穴４４１は吸込バルブ４７１によって開閉される。吸込バルブ４７１はシリンダブロック４２０とバルブプレート４４０との間に介在される吸込バルブシート４７０と一体に形成される。吸込バルブシート４７０とシリンダブロック４２０との間にはガスケット４６０が設けられる。
【００１１】
冷媒吐出穴４４２は吐出バルブ４８１の流動によって開閉される。吐出バルブ４８１はバルブプレート４４０に形成された吐出バルブリセス４８０にストッパ４８２及びキーパ４８３と共に設けられる。
【００１２】
以上のように構成されたシリンダ組立体４００は、図３に示した通り、ピストン３２０が上死点から下死点に移動すればシリンダ４１０の圧力が冷媒吸込室４３２の圧力より小さくなり、吸込バルブ４７１が動いて冷媒吸込穴４４１を開放させる。この際、密閉ケーシング１００内の冷媒は吸込マフラー５００に流入され、吸込マフラー５００の冷媒は冷媒吸込室４３２を経た後、冷媒吸込穴４４１を通してシリンダ４１０の内部に吸入される。
【００１３】
しかし、前述したような従来のシリンダ組立体は、ピストン３２０の吸入行程時に、吸込マフラー５００内の冷媒だけが冷媒の流路４３４を通して吸入されるため、シリンダ４１０に冷媒の吸入が容易になされない。
【００１４】
また、シリンダ４１０と冷媒吸込室４３２の圧力差が大幅に発生されるため、圧縮機の構成部品に無理を与えやすく、圧縮機の起動力及び体積効率が低下される問題点がある。
【００１５】
【発明が解決しようとする課題】
本発明は前述したような問題点を勘案して案出されたものであり、冷媒がシリンダに円滑に吸入されることで、起動力及び体積効率が改善されたシリンダ組立体及びこれを用いた密閉型圧縮機を提供することを目的とする。
【００１６】
【課題を解決するための手段】
前述した目的を達成するための本発明に係るシリンダ組立体は、密閉されたケーシング内に収納され、冷媒圧縮のためのシリンダを有するシリンダブロックと、該シリンダブロックの一側に結合され冷媒を前記シリンダに吸入させるための冷媒吸込穴を有するバルブプレートと、前記冷媒吸込穴を開閉させるために前記バルブプレートに接触するよう設置される吸込バルブと、前記バルブプレートの一側に結合され、冷媒吸込室及び冷媒吐出室を有するシリンダヘッドと、前記シリンダブロックに冷媒を供給する吸込マフラーと、該吸込マフラーから供給された冷媒を前記冷媒吸込室に流入させるために前記シリンダヘッドの一側に形成された冷媒の流路、及び前記流路と別に設けられ、前記ケーシング内に充填された冷媒を前記冷媒吸込穴に誘導するために前記バルブプレートに形成されるグルーブとを含み、前記グルーブは、前記バルブプレートの一側角部から前記冷媒吸込室まで延長されることを特徴とする。
【００１８】
また、前述した目的を達成するための本発明に係る密閉型圧縮機は、冷媒が流入される密閉ケーシングと、該密閉ケーシング内に設けられた固定子内に回転自在に挿入された回転子と、前記回転子によって回転されるクランクシャフトと、該クランクシャフトに一端が結合された連接棒と、該連接棒の他端に結合されたピストン、及び該ピストンの作動によって冷媒の圧縮作用が起こるシリンダ組立体と、を備え、前記シリンダ組立体は、冷媒圧縮のためのシリンダを有するシリンダブロックと、該シリンダブロックの一側に設けられ、冷媒を前記シリンダに吸入させるための冷媒吸込穴と圧縮された冷媒を前記シリンダから吐出させるための冷媒吐出穴を有するバルブプレートと、前記冷媒吸込穴を開閉させるため前記バルブプレートに接触するよう設置される吸込バルブと、前記冷媒吐出穴を開閉させるために前記バルブプレートに接触するよう設置される吐出バルブと、前記バルブプレートの一側に設けられ、冷媒吸込室及び冷媒吐出室を有するシリンダヘッドと、前記シリンダブロックに冷媒を供給する吸込マフラーと、該吸込マフラーから供給された冷媒を前記冷媒吸込室に流入させるために前記シリンダヘッドの一側に形成される冷媒の流路、及び前記流路と別に設けられ、前記密閉ケーシング内の冷媒を前記冷媒吸込穴に誘導するために前記バルブプレートに形成されるグルーブとを備え、前記グルーブは前記バルブプレートの一側角部から前記冷媒吸込室まで延長されることを特徴とする。
【００１９】
【発明の実施の形態】
以下、添付した図面に基づき本発明の一実施例をさらに詳述する。
【００２０】
図４に示した通り、本発明に係るシリンダ組立体６００は、シリンダブロック６２０と、シリンダヘッド６３０と、バルブプレート６４０とを備える。
【００２１】
シリンダブロック６２０は冷媒が圧縮されるシリンダ６１０を有する。シリンダ６１０は冷媒が吸入及び吐出を反復しつつその内部圧力が急激に変る。
【００２２】
バルブプレート６４０はシリンダブロック６２０の開放部に設けられシリンダ６１０を覆い、シリンダ６１０と連通された冷媒吸込穴６４１及び冷媒吐出穴６４２を有する。冷媒吸込穴６４１はバルブプレート６４０とシリンダブロック６２０との間に設けられた吸込バルブ６７１によって開閉される。冷媒吐出穴６４２はバルブプレート６４０に接触するよう設置された吐出バルブ６８１によって開閉される。
【００２３】
吸込バルブ６７１はバルブプレート６４０とシリンダブロック６２０との間に介在された吸込バルブシート６７０と一体に形成される。吸込バルブシート６７０とシリンダブロック６２０との間には密封のためのガスケット６５０が介在される。
【００２４】
吐出バルブ６８１はバルブプレート６４０に形成された吐出バルブリセス６８０にその開放高さを制限するストッパ６８２及びキーパ６８３と共に設けられる。吐出バルブ６８１は冷媒の吐出圧力によって弾性的に流動され、示されたものに限らず多様な形を有しうる。
【００２５】
シリンダヘッド６３０はバルブプレート６４０を覆うようシリンダブロック６２０の一側に締結部材Ｂによって締結され、冷媒吸込室６３２及び冷媒吐出室６３３（図６参照）を有する。冷媒吸込室６３２は冷媒吸込穴６４１を通してシリンダ６１０と連通され、冷媒吐出室６３３は冷媒吐出穴６４２を通してシリンダ６１０と連通される。シリンダヘッド６３０とバルブプレート６４０との間にはガスケット６６０が介在され冷媒吸込室６３２及び冷媒吐出室６３３を密封する。
【００２６】
また、シリンダヘッド６３０の一側には吸込マフラー５００の冷媒を冷媒吸込室６３２に流入させる冷媒の流路６３４が形成される。冷媒の流路６３４を通して冷媒吸込室６３２に流入された冷媒は冷媒吸込穴６４１を通してシリンダ６１０に吸入される。
【００２７】
一方、バルブプレート６４０の一側角部にはグルーブ６３５が形成される。密閉ケーシング１００の内部に充填された冷媒はこのグルーブ６３５を介して冷媒吸込室６３２に流入された後、冷媒吸込穴６４１を通してシリンダ６１０に吸入される。
【００２８】
前記実施例において、グルーブ６３５はバルブプレート６４０の一側角部から冷媒吸込室６３２まで繋がるとして示されているが、これに限定されない。グルーブ６３５は密閉ケーシング１００内に充填されている冷媒をシリンダ組立体６００の冷媒吸込室６３２または冷媒吸込穴６４１に流入させうるようにシリンダ組立体６００に多様な形態で形成されうる。
【００２９】
図５Ａ及び図５Ｂにはグルーブの他の実施例が示されている。バルブプレート６４０'とシリンダヘッド(図示せず)との間には冷媒吸込室６３２'及び冷媒吐出室６３３'が形成される。そして、バルブプレート６４０'の一側角部には冷媒吸込室６３２'側に延長されたグルーブ６３５'が形成される。このグルーブ６３５'は、１１．５ｍｍ±５ｍｍの長さ(Ｄ)、１．４ｍｍ±０．７ｍｍの幅(Ｅ)、０．１ｍｍ〜０．１５ｍｍの深さ(Ｆ)を有する。ここで、グルーブ６３５'の長さ(Ｄ)はバルブプレート６４０'の一側角部から冷媒吸込室６３２'までの長さ(Ｇ)１０ｍｍより長い。従って、グルーブ６３５'を通して誘導される冷媒は冷媒吸込室６３２'に流入される。
【００３０】
以下、図６を参照して本発明の望ましい実施例によるシリンダ組立体を用いた密閉型圧縮機の冷媒吸入作動を説明する。
【００３１】
圧縮機が駆動されれば、シリンダ６１０内のピストン３２０が上死点から下死点に移動してシリンダ６１０の圧力が減少される。これにより、吸込バルブ６７１がシリンダ６１０側に流動しつつ冷媒吸込穴６４１が開放される。この際、吸込マフラー５００内の冷媒は冷媒の流路６３４を通して冷媒吸込室６３２に流入され、密閉ケーシング１００内に充填されている冷媒はグルーブ６３５を通して冷媒吸込室６３２に流入される。そして、冷媒吸込室６３２の冷媒は冷媒吸込穴６４１を通してシリンダ６１０に吸入される。
【００３２】
【発明の効果】
以上述べた通り、本発明によれば、吸込マフラー５００から供給された冷媒が流路６３４を介して冷媒吸込室６３２に流入されると共に、密閉ケーシング１００内の冷媒がバルブプレート６４０の一側角部から冷媒吸込室６３２まで延長されるグルーブ６３５を通しても冷媒吸込室６３２に流入されるため、シリンダ６１０内への冷媒吸入が円滑に行われ得る。従って、圧縮機の体積効率が向上され、ピストン３２０の作動が円滑になる。
【００３３】
また、密閉ケーシング１００内に貯油されたオイルの一部が冷媒と共にグルーブ６３５を通してシリンダ６１０に吸入されることによって、シリンダ６１０内の潤滑作用が円滑になる。
【００３４】
さらに、本発明によれば、圧縮機の寿命が延び電動ユニット２００の出力を高めなくても起動力が向上される効果がある。
【００３５】
以上本発明を本発明の原理を例示するための望ましい実施例について示しかつ説明したが、本発明はそのように示しかつ説明されたその通りの構成及び作用に限られない。かえって、特許請求の範囲の思想及び範疇を逸脱せず本発明に対する多数の変形及び修正が可能なことを当業者らにとってよく理解できろう。従って、そのような全ての適切な変形及び修正と均等物も本発明の範囲に属することと見なされるべきである。
【図面の簡単な説明】
【図１】一般の密閉型圧縮機を示した断面図である。
【図２】図１のシリンダ組立体を抜粋して示した分離斜視図である。
【図３】 図２のシリンダ組立体の作動を説明するための断面図である。
【図４】 本発明の望ましい実施例による密閉型圧縮機のシリンダ組立体を示した分離斜視図である。
【図５Ａ】本発明の他の実施例によるシリンダ組立体の一部を抜粋して示した平面図である。
【図５Ｂ】図５ＡのＩ−Ｉ線に沿って取った断面図である。
【図６】図４のシリンダ組立体の作動を説明するための断面図である。
【符号の説明】
１００  密閉ケーシング
１４０  冷媒吸入管
１５０  冷媒吐出管
２００  電動ユニット
３００  圧縮ユニット
３２０  ピストン
５００  吸込マフラー
６００  シリンダ組立体
６１０  シリンダ
６２０  シリンダブロック
６３０  シリンダヘッド
６３４  第１冷媒の流路
６３５  第２冷媒の流路
６４０  バルブプレート
６４１  冷媒吸込穴
６４２  冷媒吐出穴
６７１  吸込バルブ
６８１  吐出バルブ
【図１】
0003893352.tif 000002
【図２】
0003893352.tif 000003
【図３】
0003893352.tif 000004
【図４】
0003893352.tif 000005
【図５Ａ】
0003893352.tif 000006
【図５Ｂ】
0003893352.tif 000007
【図６】
0003893352.tif 000008